(57)【特許請求の範囲】
【請求項１】
モータと、前記モータの駆動に応じて前後方向を軸として回転する回転体と、装飾部を備えた装飾体とを有し、前記回転体の回転に応じて前記装飾体が前後方向を軸として所定方向へ回転することにより、前記装飾部が退避位置から演出位置へ移動する可動遊技手段を備えた遊技機であって、
前記回転体の表面における偏心位置にボスを突設する一方、
前記装飾体に前記回転体側へ延びる腕部を設け、前記腕部に、前記装飾体を回転可能に軸着するための軸着部を設けるとともに、前記腕部の前記軸着部よりも先端側に、前記ボスが嵌入し、且つ、前記ボスが前記回転体の回転に伴い前記軸着部に近づく側及び前記軸着部から離れる側へ直線的に移動可能とした嵌入部を設け、
さらに、前記回転体の回転中心を、前記腕部の先端部よりも前記軸着部側で、且つ、前記腕部の回転移動範囲内に位置させており、
前記回転体が右回りと左回りとの何れか一方へ回転すると、前記ボスが前記嵌入部内を前記軸着部に近づく側へ移動することにより前記装飾体が前記所定方向へ回転し、前記装飾部が前記退避位置から前記演出位置へ移動する一方、
前記回転体が他方へ回転すると、前記ボスが前記嵌入部内を前記軸着部から離れる側へ移動することにより前記装飾体が前記所定方向へ回転し、前記装飾部が前記退避位置から前記演出位置へ移動することを特徴とする遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機には、たとえば特許文献１に記載されているように、前後方向を軸として回転移動することにより退避位置と演出位置との間を移動する装飾部が設けられている。
【先行技術文献】
【特許文献】
【０００３】
【特許文献１】特開２０１１−２４６６８号公報
【発明の概要】
【発明が解決しようとする課題】
【０００４】
しかしながら、特許文献１に記載のパチンコ機では、装飾部が退避位置から演出位置まで移動する際の移動速度はワンパターンであるため、装飾部の退避位置から演出位置への移動が単調になりやすく、遊技性に乏しいという問題がある。
また、モータの回転速度を変更すれば、装飾部の移動速度を変更することができる。しかしながら、モータの回転速度を速くすると、回転開始時及び回転停止時にモータにかかる負荷が大きくなる。特に、大型の装飾部であると、負荷の増大はより顕著となる。したがって、モータの回転速度を速くしたのでは、モータが故障しやすいといった問題が生じる。
【０００５】
そこで、本発明は、上記問題に鑑みなされたものであって、装飾部の退避位置から演出位置まで移動する速度がワンパターンではなく、且つ、モータが故障しにくい遊技機を提供しようとするものである。
【課題を解決するための手段】
【０００６】
上記目的を達成するために、本発明のうち請求項１に記載の発明は、モータと、前記モータの駆動に応じて前後方向を軸として回転する回転体と、装飾部を備えた装飾体とを有し、前記回転体の回転に応じて前記装飾体が前後方向を軸として所定方向へ回転することにより、前記装飾部が退避位置から演出位置へ移動する可動遊技手段を備えた遊技機であって、前記回転体の表面における偏心位置にボスを突設する一方、前記装飾体に前記回転体側へ延びる腕部を設け、前記腕部に、前記装飾体を回転可能に軸着するための軸着部を設けるとともに、前記腕部の前記軸着部よりも先端側に、前記ボスが嵌入し、且つ、前記ボスが前記回転体の回転に伴い前記軸着部に近づく側及び前記軸着部から離れる側へ直線的に移動可能とした嵌入部を設け、さらに、前記回転体の回転中心を、前記腕部の先端部よりも前記軸着部側で、且つ、前記腕部の回転移動範囲内に位置させており、前記回転体が右回りと左回りとの何れか一方へ回転すると、前記ボスが前記嵌入部内を前記軸着部に近づく側へ移動することにより前記装飾体が前記所定方向へ回転し、前記装飾部が前記退避位置から前記演出位置へ移動する一方、前記回転体が他方へ回転すると、前記ボスが前記嵌入部内を前記軸着部から離れる側へ移動することにより前記装飾体が前記所定方向へ回転し、前記装飾部が前記退避位置から前記演出位置へ移動することを特徴とする。
なお、請求項１に記載の発明において、前記回転体の回転に応じて所定のスライド方向へ直線移動する直線移動体を設けるとともに、前記直線移動体に第２の装飾部を設けるという第１の構成を採用することも考えられる。
そして、そのような第１の構成を採用することにより、１つのモータで回転移動する第１の装飾部と、直線移動する第２の装飾部との両装飾部を移動させることができるため、部品点数を少なくすることができ、コストの低減を図ることができるという効果を奏することができる。また、モータを複数設置するものと比較して、モータの設置スペースを省スペース化することができるため、そのスペースを両装飾部や他の電動役物のためのスペースとして利用することができ、たとえば両装飾部を大型化したり、より広範囲にわたって移動させたりすることができるという効果も奏することができる。
【発明の効果】
【０００７】
本発明によれば、回転体の表面における偏心位置にボスを突設する一方、装飾体に回転体側へ延びる腕部を設け、腕部に、装飾体を回転可能に軸着するための軸着部を設けるとともに、腕部の軸着部よりも先端側に、ボスが嵌入し、且つ、ボスが回転体の回転に伴い軸着部に近づく側及び軸着部から離れる側へ直線的に移動可能とした嵌入部を設け、さらに、回転体の回転中心を、腕部の先端部よりも軸着部側で、且つ、腕部の回転移動範囲内に位置させており、回転体が右回りと左回りとの何れか一方へ回転すると、ボスが嵌入部内を軸着部に近づく側へ移動することにより装飾体が所定方向へ回転し、装飾部が退避位置から演出位置へ移動する一方、回転体が他方へ回転すると、ボスが嵌入部内を軸着部から離れる側へ移動することにより装飾体が所定方向へ回転し、装飾部が退避位置から演出位置へ移動するようにした。そのため、モータを右回りに回転させた場合と左回りに回転させた場合とで、装飾部の退避位置から演出位置への移動速度が異なる。したがって、モータの回転速度を変更したりすることなく、装飾部の移動速度を異ならせることができ、そのような移動速度が異なるといった従来にない演出が可能となるし、移動速度を速くするにあたってモータにかかる負荷を軽減することができる。
【図面の簡単な説明】
【０００８】
【図１】パチンコ機を前面側から示した説明図である。
【図２】第１装飾可動体及び第２装飾可動体が退避位置にある遊技盤を前面側から示した説明図である。
【図３】第１装飾可動体及び第２装飾可動体が演出位置にある遊技盤を前面側から示した説明図である。
【図４】第１装飾可動体のみが演出位置にある遊技盤を前面側から示した説明図である。
【図５】パチンコ機を後面側から示した説明図である。
【図６】分解状態にある電動役物を前側から示した斜視説明図である。
【図７】分解状態にある電動役物を後側から示した斜視説明図である。
【図８】第１装飾可動体及び第２装飾可動体が退避位置にある電動役物を前側から示した説明図である。
【図９】退避位置にある第１装飾可動体及び第２装飾可動体と、その際の動作伝達機構の状態を前側から示した説明図である。
【図１０】第１装飾可動体及び第２装飾可動体が退避位置にある電動役物を後側から示した説明図である。
【図１１】退避位置にある第１装飾可動体及び第２装飾可動体と、その際の動作伝達機構の状態を後側から示した説明図である。
【図１２】第１装飾可動体及び第２装飾可動体が演出位置にある電動役物を前側から示した説明図である。
【図１３】演出位置にある第１装飾可動体及び第２装飾可動体と、その際の動作伝達機構の状態を前側から示した説明図である。
【図１４】第１装飾可動体及び第２装飾可動体が演出位置にある電動役物を後側から示した説明図である。
【図１５】演出位置にある第１装飾可動体及び第２装飾可動体と、その際の動作伝達機構の状態を後側から示した説明図である。
【図１６】第２装飾可動体が退避位置から演出位置へ直線移動する様子を示した説明図である。
【図１７】モータを正回転させた際に、第１装飾可動体が退避位置から演出位置へ回転移動する様子を前側から示した説明図である。
【図１８】、モータを正回転させた際に、第１装飾可動体が退避位置から演出位置へ回転移動する様子を後側から示した説明図である。
【図１９】第１装飾可動体のみが演出位置にある電動役物を前側から示した説明図である。
【図２０】演出位置にある第１装飾可動体及び退避位置にある第２装飾可動体と、その際の動作伝達機構の状態を前側から示した説明図である。
【図２１】第１装飾可動体のみが演出位置にある電動役物を後側から示した説明図である。
【図２２】演出位置にある第１装飾可動体及び退避位置にある第２装飾可動体と、その際の動作伝達機構の状態を後側から示した説明図である。
【図２３】モータを逆回転させた際に、第１装飾可動体のみが退避位置から演出位置へ回転移動する様子を前側から示した説明図である。
【図２４】モータを逆回転させた際に、第１装飾可動体のみが退避位置から演出位置へ回転移動する様子を後側から示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。図２は、第１装飾可動体３１及び第２装飾可動体３２が退避位置にある遊技盤２を前面側から示した説明図である。図３は、第１装飾可動体３１及び第２装飾可動体３２が演出位置にある遊技盤２を前面側から示した説明図である。図４は、第１装飾可動体３１のみが演出位置にある遊技盤２を前面側から示した説明図である。図５は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むようにセンター部材２６が遊技盤２に設置されており、該センター部材２６には、第１装飾可動体３１及び第２装飾可動体３２を有する電動役物３０が設けられている。そして、電動役物３０の作動に応じて、第１装飾可動体３１や第２装飾体３２の装飾部３２ａ、３６ａ、３７ａ（図６等に示す）が、演出用表示部６の左側に退避する退避位置と、演出用表示部６の前側に進出する演出位置との間を移動可能となっている。また、センター部材２６の下方には、遊技球が入賞可能な始動入賞口１９と、開閉可能な扉部材を有する第１大入賞装置１７とが設けられている。さらにまた、センター部材２６の左方から下方にかけては、遊技球が流下可能な左打ち用スペースＳＬが形成されており、左打ち用スペースＳＬを流下させることで、効率良く始動入賞口１９や開成した第１大入賞装置１７へ入賞させ得るようになっている。
【００１２】
一方、センター部材２６の右方にも遊技球が流下可能な右打ち用スペースＳＲが形成されている。また、該右打ち用スペースＳＲには、可動体（図示せず）を有して遊技球の入賞を可能／不可能とする可動入賞役物を内蔵した入賞装置２０、及び開閉可能な扉部材を有する第２大入賞装置１８が設置されている。そして、遊技球を左打ち用スペースＳＬではなく右打ち用スペースＳＲを流下させることにより、入賞装置２０の可動入賞役物や、開成した第２大入賞装置１８へ入賞させることができる。なお、左打ち用スペースＳＬや右打ち用スペースＳＲには、多数の遊技釘が植設されている。また、遊技領域１６外となる遊技盤２の右下部には、第１特別図柄及び第２特別図柄を夫々別個に表示可能とした特別図柄表示部８３が設けられている。
【００１３】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１５】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させる等し（所謂左打ちを行い）、始動入賞口１９への遊技球の入賞を狙う。そして、始動入賞口１９への遊技球の入賞検知に起因して実行される所謂大当たり抽選の結果が「大当たり」になると、特別図柄表示部８３及び演出用表示部６に夫々所定の「大当たり図柄」が確定表示される（たとえば、演出用表示部６に「７、７、７」と確定表示させる）。また、「大当たり図柄」が確定表示されると、第１大入賞装置１７を所定回数にわたって断続的に開成させるといった所謂「大当たり状態」が生起する。そこで、遊技者は左打ちを継続し、断続的に開成する第１大入賞装置１７への遊技球の入賞を狙う。なお、始動入賞口１９へ遊技球が入賞した場合、特別図柄表示部８３では第１特別図柄を変動／確定表示させる。
【００１６】
また、大当たり状態が終了すると、第１特別図柄及び第２特別図柄の合計の確定表示回数が所定回数に達するまで、入賞装置２０への遊技球の進入検知に起因して実行される所謂当たり抽選の結果が「当たり」となりやすく、入賞装置２０の内部において可動入賞役物が頻繁に開状態となって遊技球の入賞を可能とする所謂時短状態が生起する。そこで、遊技者は、遊技球を右打ち用スペースＳＲへ打ち込んで流下させる所謂右打ちを行い、可動入賞役物への遊技球の入賞を狙う。そして、可動入賞役物へ遊技球が入賞すると、上記始動入賞口１９へ遊技球が入賞した場合と同じく大当たり抽選が実行され、該大当たり抽選の結果が「大当たり」になると、特別図柄表示部８３及び演出用表示部６に夫々所定の「大当たり図柄」が確定表示される。また、可動入賞役物への遊技球の入賞に応じて「大当たり図柄」が確定表示されると、第２大入賞装置１８を所定回数にわたって断続的に開成させるといった「大当たり状態」が生起する。そこで、遊技者は右打ちを継続し、断続的に開成する第２大入賞装置１８への遊技球の入賞を狙う。なお、可動入賞役物へ遊技球が入賞した場合、特別図柄表示部８３では第２特別図柄を変動／確定表示させる。
【００１７】
一方、「大当たり状態」が生起することなく、第１特別図柄及び第２特別図柄の合計の確定表示回数が所定回数に達して時短状態が終了すると、右打ちを止めて左打ちを行う上記遊技へと戻る。
さらに、図柄の変動表示中において、特定のリーチ演出が実行される等といったように所定の条件が満たされると、サブ制御装置による制御のもと電動役物３０を作動させ、後述の如き動作で第１装飾可動体３１の装飾部３６ａ、３７ａや第２装飾可動体３２の装飾部３２ａを退避位置から演出位置へ移動させ、遊技者に「大当たり状態」生起の期待感を抱かせる。
【００１８】
（電動役物の説明）
ここで、本発明の要部となる電動役物３０について、図６〜図２４にもとづき詳細に説明する。まず、図６及び図７にもとづき、電動役物３０を構成する各構成要素の構造を説明する。図６は、分解状態にある電動役物３０を前側から示した斜視説明図である。図７は、分解状態にある電動役物３０を後側から示した斜視説明図である。
電動役物３０は、第１装飾可動体３１及び第２装飾可動体３２と、前後方向を軸として回転するモータ３３と、モータ３３の動作を両装飾可動体３１、３２に伝える動作伝達機構とを備えてなる。
【００１９】
第１装飾可動体３１は、装飾部３６ａ、３７ａを退避位置と演出位置との間で回転移動させるものであって、動作伝達機構を介してモータ３３の動作が伝達されて回動する第１可動部材３６と、第１可動部材３６の回動に連動して回動する第２可動部材３７とを有する。第１可動部材３６は、前面に装飾が施された装飾部３６ａと、装飾部３６ａから上方（後述するボス付きピニオン５７側）へ突設された腕部３６ｂとを備えており、腕部３６ｂの上下方向で略中央となる位置には、後ケース５１に軸着するための軸孔３８が穿設されている。また、腕部３６ｂの前面で、該軸孔３８よりも腕部３６ｂの先端側となる位置には、腕部３６ｂの突出方向（上下方向）に沿って延びる伝達溝３９が凹設されている。さらに、装飾部３６ａの下端部には、第２可動部材３７を連結するための連結孔４０が穿設されている。一方、第２可動部材３７は、前面に装飾が施された装飾部３７ａと、装飾部３７ａから下方へ突設された腕部３７ｂとを備えている。そして、腕部３７ｂには、腕部３７ｂの突出方向（上下方向）に沿って長い長孔４１が穿設されている。また、腕部３７ｂの先端には、左方へ湾曲した阻止爪４２が設けられている。さらに、装飾部３７ａの後面の上端部には、連結孔４０内へ嵌入し、第２可動部材３７を第１可動部材３６に対して回転可能に連結するための連結突起４３が後方へ突設されている。なお、第１可動部材３６及び第２可動部材３７には、ＬＥＤが搭載された図示しない発光基板が内蔵されており、ＬＥＤが点灯／点滅することによって装飾部３６ａ、３７ａが発光するようになっている。
【００２０】
第２装飾可動体３２は、装飾部３２ａを退避位置と演出位置との間でスライドさせるものであって、前面に装飾が施された装飾部３２ａと、装飾部３２ａから上方へ突設された第１腕部３２ｂと、装飾部３２ａから下方へ突設された第２腕部３２ｃとを備えている。そして、第１腕部３２ｂの先端には、左右方向へ貫通する貫通孔を有する被ガイド部４４が設けられているとともに、被ガイド部４４の前面に、動作伝達機構が連結される連結ボス４５が前方へ突設されている。さらに、装飾部３２ａの後面には、押圧突起４６が後方へ突設されており、第１装飾可動体３１が動作伝達機構の故障等により可動しない際に、自身が退避位置から演出位置へ移動するにあたり、第１装飾可動体３１を押圧し、共に演出位置へ押し出し可能となっている。なお、装飾部３２ａにも、ＬＥＤが搭載された図示しない発光基板が内蔵されており、ＬＥＤが点灯／点滅することによって装飾部３２ａが発光するようになっている。
【００２１】
一方、動作伝達機構は、前ケース５０及び後ケース５１を組み付けてなる本体ケースと、本体ケース内に取り付けられる各種ギア等とにより構成されている。後ケース５１は、上部に動作伝達機構設置部を、下部に案内部を夫々有する合成樹脂製部材であって、上部と下部とは、前後方向へ折り曲げ形成された帯状の補強部５２と前面に装飾が施された装飾部５３とにより一体化されている。そして、動作伝達機構設置部には、モータ３３と、モータ３３に直結されたモータピニオン５５と、モータピニオン５５が噛合する連結用ピニオン５６と、連結用ピニオン５６が噛合するボス付きピニオン５７と、ボス付きピニオン５７の回転に応じ前後方向を軸として回動する回動アーム５８と、第２装飾可動体３２のスライドを案内するガイドバー５９とが設置可能となっている。
【００２２】
モータ３３は、第１装飾可動体３１及び第２装飾可動体３２を移動させる駆動源となるものであって、前後方向を軸として回転可能に固定されており、前方へ突出するモータ３３の軸にモータピニオン５５が嵌着されている。また、モータピニオン５５の近傍に、モータ３３の回転をボス付きピニオン５７に伝えるための連結用ピニオン５６が、前後方向を軸として回転可能に取り付けられている。さらに、連結用ピニオン５６の近傍に、スライド用ボス６０及び回転用ボス６１を備えたボス付きピニオン５７が、前後方向を軸として回転可能に取り付けられている。スライド用ボス６０は、ボス付きピニオン５７の前面における偏心位置において、前方へ突設されている一方、回転用ボス６１は、ボス付きピニオン５７の後面における偏心位置において、後方へ突設されている。また、ボス付きピニオン５７の回転中心は、第１可動部材３６の腕部３６ｂの先端部よりも軸孔３８側で、且つ、軸方向から見て腕部３６ｂの回動範囲内に位置している。そして、回転用ボス６１は、第１可動部材３６の伝達溝３９内に嵌入し、ボス付きピニオン５７の回転に伴い伝達溝３９が延びる方向（後述するように伝達溝３９内を軸孔３８から離れる側及び軸孔３８へ近づく側）へ直線的に移動するようになっている。
【００２３】
さらにまた、ボス付きピニオン５７の前方を縦断するように、回動アーム５８が上端部を軸として回動可能に取り付けられている。該回動アーム５８は、ボス付きピニオン５７の回転に伴うスライド用ボス６０の移動軌跡と交差しており、回動アーム５８の左側面には、ボス付きピニオン５７の回転に伴うスライド用ボス６０の移動に伴い、スライド用ボス６０により第２装飾可動体３２を演出位置へ進出させる側へ押圧される被押圧面５８ａが設けられている。また、回動アーム５８の下端部には、回動軸から放射方向へ延びる長孔状の伝達孔６２が設けられている。該伝達孔６２には、連結ボス４５が回転自在に嵌入可能となっており、回動アーム５８の回動に伴い、連結ボス４５が伝達孔６２内で回転しながら、伝達孔６２が延びる方向へ相対的に移動可能となっている。さらに、回動アーム５８の軸着位置の近傍には、第２装飾可動体３２を退避位置へ復帰させる側へ回動アーム５８を付勢するコイルバネ（図示せず）が取り付けられている。
【００２４】
加えて、ボス付きピニオン５７の下方、且つ、回動アーム５８の後方で、回動アーム５８の回動時に伝達孔６２が移動する移動軌跡と前後で重なるような位置に、ガイドバー５９が配設されている。該ガイドバー５９は、第２装飾可動体３２の被ガイド部４４を貫通しており、第２装飾可動体３２はガイドバー５９により直線移動する方向以外への移動を規制されながら、ガイドバー５９に沿って移動し、装飾部３２ａを退避位置と演出位置との間で移動させることになる。なお、ガイドバー５９は、右端が左端よりも稍上方に位置する傾斜姿勢（すなわち右上がりに傾斜する姿勢）で配設されている。
【００２５】
なお、後ケース５１から前方へ突設されている６５は、連結用ピニオン５６を取り付けるためのピニオン軸部であり、同様に前方へ突設されている６６は、第１可動部材３６の腕部３６ａを軸着するための回動軸部である。また、６７は、ボス付きピニオン５７の前方を覆うように取り付けられる仕切り板であり、後ケース５１に固定可能となっている。そして、仕切り板６７には、スライド用ボス６０を前方へ突出させるためのスリット６８が、スライド用ボス６０の移動軌跡に沿った円弧状に開設されている。さらに、６９は、ガイドバー５９を支持するための支持ケースであり、後ケース５１の下部に固定可能となっている。加えて、前ケース５０は、上記後ケース５１の動作伝達機構設置部を覆うように組み付け可能となっており、該前ケース５０の後面には、回動アーム５８を軸着するためのアーム軸部７０が設けられている。
【００２６】
一方、後ケース５１の案内部には、長孔４１内に嵌入し、第２可動部材３７の回動に伴い長孔４１が延びる方向へ相対的に移動する案内突起７１が前方へ突設されている。また、案内突起７１の左側には、第１装飾可動体３１が演出位置に達した際、第２可動部材３７の阻止爪４２が係止する係止段部７２が設けられている。さらに、案内突起７１や係止段部７２の前方を覆うように、前ガイドケース７３及び後ガイドケース７４からなるガイドケースが組み付けられている。そして、該ガイドケースには、第２装飾可動体３２の第２腕部３２ｃの先端を差し込み可能で、第２装飾可動体３２のスライドを案内するガイド凹部７５が設けられている。
【００２７】
次に、以上のような第１装飾可動体３１、第２装飾可動体３２、モータ３３、及び動作伝達機構を有する電動役物３０の動作について、図８〜図２４にもとづき説明する。
図８は、第１装飾可動体３１及び第２装飾可動体３２が退避位置にある電動役物３０を前側から示した説明図である。図９は、退避位置にある第１装飾可動体３１及び第２装飾可動体３２と、その際の動作伝達機構の状態を前側から示した説明図である。図１０は、第１装飾可動体３１及び第２装飾可動体３２が退避位置にある電動役物３０を後側から示した説明図である。図１１は、退避位置にある第１装飾可動体３１及び第２装飾可動体３２と、その際の動作伝達機構の状態を後側から示した説明図である。図１２は、第１装飾可動体３１及び第２装飾可動体３２が演出位置にある電動役物３０を前側から示した説明図である。図１３は、演出位置にある第１装飾可動体３１及び第２装飾可動体３２と、その際の動作伝達機構の状態を前側から示した説明図である。図１４は、第１装飾可動体３１及び第２装飾可動体３２が演出位置にある電動役物３０を後側から示した説明図である。図１５は、演出位置にある第１装飾可動体３１及び第２装飾可動体３２と、その際の動作伝達機構の状態を後側から示した説明図である。図１６は、第２装飾可動体３２が退避位置から演出位置へ直線移動する様子を示した説明図である。図１７は、モータ３３を正回転させた際に、第１装飾可動体３１が退避位置から演出位置へ回転移動する様子を前側から示した説明図である。図１８は、モータ３３を正回転させた際に、第１装飾可動体３１が退避位置から演出位置へ回転移動する様子を後側から示した説明図である。図１９は、第１装飾可動体３１のみが演出位置にある電動役物３０を前側から示した説明図である。図２０は、演出位置にある第１装飾可動体３１及び退避位置にある第２装飾可動体３２と、その際の動作伝達機構の状態を前側から示した説明図である。図２１は、第１装飾可動体３１のみが演出位置にある電動役物３０を後側から示した説明図である。図２２は、演出位置にある第１装飾可動体３１及び退避位置にある第２装飾可動体３２と、その際の動作伝達機構の状態を後側から示した説明図である。図２３は、モータ３３を逆回転させた際に、第１装飾可動体３１のみが退避位置から演出位置へ回転移動する様子を前側から示した説明図である。図２４は、モータ３３を逆回転させた際に、第１装飾可動体３１のみが退避位置から演出位置へ回転移動する様子を後側から示した説明図である。
【００２８】
通常、第２装飾可動体３２は、被ガイド部４４がガイドバー５９の略左端に位置して、装飾部３２ａが退避位置に位置した初期状態にある（図８、図１０）。このとき、回動アーム５８は、右上がりに傾斜する第１傾斜姿勢にあり、連結ボス４５は、伝達孔６２の下端に位置している（図９）。また、回動アーム５８の被押圧面５８ａには、スライド用ボス６０が当接している（図９）。そして、第２装飾可動体３２は、被ガイド部４４を貫通するガイドバー５９が右上がりに傾斜していること、及びコイルバネの付勢力によって、当該初期状態で保持されている。一方、第１装飾可動体３１は、第１可動部材３６及び第２可動部材３７の装飾部３６ａ、３７ａが第２装飾可動体３２の装飾部３２ａの後方に位置する退避位置に位置した初期状態にある（図８、図１０）。このとき、第１可動部材３６の腕部３６ｂは、回動アーム５８同様、右上がりに傾斜する第１回動姿勢にあり、回転用ボス６１は、伝達溝３９の略中央に位置している（図１１）。
【００２９】
上記状態からモータ３３が左回りに回転する（正回転する）と、ボス付きピニオン５７も左回りに回転し、スライド用ボス６０は右側へ移動する。したがって、回動アーム５８は、スライド用ボス６０に被押圧面５８ａを押されて右側へ回動し、上記第１傾斜姿勢から左上がりに傾斜する第２傾斜姿勢へと姿勢を変化させる（図１６）。そして、この回動アーム５８の回動に伴い、連結ボス４５が伝達孔６２内を相対的に移動しながら右側へ引っ張られることになり、被ガイド部４４、ひいては第２装飾可動体３２の装飾部３２ａがガイドバー５９に沿って退避位置から右側へ移動し、最終的に被ガイド部４４がガイドバー５９の略右端に位置して、装飾部３２ａが演出位置へ至る（図１２〜図１５）。すなわち、第２装飾可動体３２の装飾部３２ａが退避位置から演出位置へ直線移動する。一方、ボス付きピニオン５７の回転に伴い、回転用ボス６１は伝達溝３９内を上方（回動軸部６６や軸孔３８から離れる側）へ移動しながら右側へ移動する。したがって、第１可動部材３６の腕部３６ｂが右側へ引っ張られ、第１可動部材３６は回動軸部６６を中心に回動する。そして、第１可動部材３６の腕部３６ｂは、上記第１回動姿勢から左上がりに傾斜する第２回動姿勢へと姿勢を変化させ、装飾部３６ａが右側へ突出する（図１７、図１８）。また、この第１可動部材３６の回動に連動して、第２可動部材３７も、案内突起７１が長孔４１内を相対的に移動しながら回動して、装飾部３７ａが右側へ突出し（図１７、図１８）、最終的に両可動部材３６、３７の装飾部３６ａ、３７ａが演出位置へ至る（図１２〜図１５）。すなわち、第１装飾可動体３１の装飾部３６ａ、３７ａが退避位置から演出位置へ回転移動する。
【００３０】
なお、上述の如くして演出位置へ到達した両装飾可動体３１、３２の装飾部３２ａ、３６ａ、３７ａを退避位置へ復帰させるためには、モータ３３を右回りに回転させて（逆回転させて）スライド用ボス６０及び回転用ボス６１を初期位置まで移動させればよい。すると、第１装飾可動体３１の装飾部３６ａ、３７ａは上記動作の逆を辿って演出位置から退避位置へ復帰する。一方、第２装飾可動体３２では、コイルバネの付勢力及びガイドバー５９が右下がりになっていることにより、スライド用ボス６０に追従するような格好となって、装飾部３２ａが演出位置から退避位置へ復帰する。
【００３１】
一方、上記初期状態からモータ３３が右回りに回転する（逆回転する）と、ボス付きピニオン５７も右回りに回転し、スライド用ボス６０は左側へ移動する。したがって、スライド用ボス６０が被押圧面５８ａから離れることになり（図２３）、回動アーム５８は回動せず、ひいては第２装飾可動体３２の装飾部３２ａは退避位置から移動しない（図１９〜図２２）。また、回転用ボス６１は伝達溝３９内を下方（回動軸部６６や軸孔３８に近づく側）へ移動しながら右側へ移動する。したがって、上記正回転した場合と同様に、第１可動部材３６の腕部３６ｂが右側へ引っ張られ、第１可動部材３６は回動軸部６６を中心に回動する。そして、第１可動部材３６の腕部３６ｂは、上記第１回動姿勢から左上がりに傾斜する第２回動姿勢へと姿勢を変化させ、装飾部３６ａが右側へ突出する（図２４）。また、この第１可動部材３６の回動に連動して、第２可動部材３７も回動し、装飾部３７ａが右側へ突出し（図２４）、最終的に両可動部材３６、３７の装飾部３６ａ、３７ａが演出位置へ至る（図１９〜図２２）。すなわち、第１装飾可動体３１の装飾部３６ａ、３７ａが退避位置から演出位置へ回転移動する。そして、この回転移動は、回転用ボス６１が回動軸部６６に近い位置で右側へ移動するため、上記正回転させた場合の回転移動と比較して装飾部３６ａ、３７ａの移動速度が速くなる。なお、このようにして演出位置へ到達した第１装飾可動体３１の装飾部３６ａ、３７ａを退避位置へ復帰させるためには、モータ３３を左回りに回転させて（正回転させて）回転用ボス６１を初期位置まで移動させればよい。すると、第１装飾可動体３１の装飾部３６ａ、３７ａは上記動作の逆を辿って演出位置から退避位置へ復帰する。
【００３２】
（本実施形態のパチンコ機による効果）
以上のような構成を有する電動役物３０を備えたパチンコ機１によれば、モータ３３の駆動に応じて回転するボス付きピニオン５７の後面における偏心位置に後方へ突出する回転用ボス６１を設けるとともに、ボス付きピニオン５７の回転に伴う回転用ボス６１の移動に応じ、装飾部３６ａ、３７ａが前後方向を軸として回転移動するように第１装飾可動体３１を設けている。また、ボス付きピニオン５７の前面における偏心位置に前方へ突出するスライド用ボス６０を設けるとともに、ボス付きピニオン５７の回転に伴うスライド用ボス６０の移動に応じ、前後方向を軸として回動する回動アーム５８を設け、該回動アーム５８の下端に長孔状の伝達孔６２を設け、さらにガイドバー５９に沿う方向へのみ移動可能とされた被ガイド部４４に連結ボス４５を設けるとともに、当該連結ボス４５を伝達孔６２内で回転自在且つ伝達孔６２内を移動可能に嵌入させることによって、回動アーム５８の回動に応じて装飾部３２ａが直線移動するように第２装飾可動体３２を取り付けている。したがって、１つのモータ３３で装飾部３６ａ、３７ａが回転移動する第１装飾可動体３１と、装飾部３２ａが直線移動する第２装飾可動体３２との両方を作動させることができるため、部品点数を少なくすることができ、コストの低減を図ることができる。また、モータを複数設置するものと比較して、モータの設置スペースを省スペース化することができるため、そのスペースを両装飾可動体３１、３２や他の電動役物のためのスペースとして利用することができ、たとえば両装飾可動体３１、３２を大型化したり、より広範囲にわたって移動させたりすることができる。
【００３３】
また、第１可動部材３６にボス付きピニオン５７側へ延びる腕部３６ｂを設け、腕部３６ｂに、第１可動部材３６を回転可能に軸着するための軸孔３８を設けるとともに、腕部３６ｂの軸孔３８よりも先端側に、回転用ボス６１が嵌入し、且つ、回転用ボス６１がボス付きピニオン５７の回転に伴い、軸孔３８に近づく側及び軸孔３８から離れる側へ直線的に移動可能とした伝達溝３９を設け、さらに、ボス付きピニオン５７の回転中心を、第１可動部材３６の腕部３６ｂの先端部よりも軸孔３８側で、且つ、軸方向から見て腕部３６ｂの回転移動範囲内に位置させており、ボス付きピニオン５７が右回りに回転すると、回転用ボス６１が伝達溝３９内を軸孔３８に近づく側へ移動することにより第１可動部材３６が右側へ回動し、装飾部３６ａが退避位置から演出位置へ移動する一方、ボス付きピニオン５７が左回りに回転すると、回転用ボス６１が伝達溝３９内を軸孔３８から離れる側へ移動することにより第１可動部材３６が右側へ回動し、装飾部３６ａが退避位置から演出位置へ移動するようにした。そのため、モータ３３を右回りに回転させた場合と左回りに回転させた場合とで、装飾部３６ａの退避位置から演出位置への移動速度が異なる。したがって、モータ３３の回転速度を変更したりすることなく、装飾部３６ａの移動速度を異ならせることができ、そのような移動速度が異なるといった従来にない演出が可能となるし、移動速度を速くするにあたってモータ３３にかかる負荷を軽減することができる。
【００３４】
（本発明の変更例について）
なお、本発明の遊技機に係る構成は、上記実施形態に何ら限定されるものではなく、遊技機全体の構成は勿論、可動遊技手段における回転移動部や直線移動部、回転運動を直線運動に変換する変換機構等に係る構成についても、本発明の趣旨を逸脱しない範囲で必要に応じて適宜変更可能である。
【００３５】
たとえば、上記実施形態では、回転体に突設されたボスの回転運動を直線運動に変換する変換機構を介して回転体と第２装飾部とを連結しているが、モータの駆動に応じて回転するピニオン（ボス付きピニオンに相当する構成要素）に、直線状に噛合面が形成されたラックを噛合させるとともに、当該ラックに第２装飾部を設ける等し、ピニオンの回転に伴うラックの直線移動により、第２の装飾部が退避位置と演出位置との間を直線移動するように構成してもよい。
また、変換機構を設けるにあたっても、上記実施形態の変換機構とは構成の異なる変換機構を採用可能である。たとえば、回動アーム側に突起を、第２の装飾部側に長孔を夫々設けてもよいし、回動アームの下端に噛合面を、第２の装飾部側に被噛合面を夫々設け、上記ラックの如く回動アームの回動に応じて第２の装飾部が直線移動するように構成しても何ら問題はない。
【００３６】
さらに、装飾部を回転移動により退避位置から演出位置へ移動させるにあたり、上記実施形態では第１可動部材に軸孔を、後ケースに回動軸部を夫々設けているが、第１可動部材に軸着部として軸部を設けても何ら問題はない。加えて、上記実施形態では、嵌入部として伝達溝を設けているが、溝の代わりに長孔やスリットを嵌入部として設けてもよい。
さらにまた、上記実施形態では回転体が右回りに回転した場合の方が、装飾部の移動速度が速くなるように構成しているが、左回りに回転した場合の方が、装飾部の移動速度が速くなるように構成することも勿論可能である。
またさらに、上記実施形態では回転体の後面に装飾部を回転移動させるためのボスを突設しているが、回転体の前面に装飾部を回転移動させるためのボスを設けても何ら問題はないし、第２装飾可動体のような直線移動体を設けないとしてもよい。
【００３７】
また、可動遊技手段をどこに設けるかといった事項、すなわちどのような位置を退避位置や演出位置とするかといった事項や、何個設けるかといった事項については適宜変更可能である。すなわち、上下方向への直線移動若しくは回転移動により各装飾部が退避位置から演出位置へ移動するように構成してもよい。さらにまた、各装飾部をどのような形状とするか等についても言うまでもなく適宜設計変更可能である。
さらに、可動遊技手段が作動する契機となる所定の条件についても、上記実施形態では演出用表示部において特定のリーチ演出が実行されるとしているが、他の条件（たとえば、確変大当たり等の特定特別遊技状態が生起したといった条件や、デモ演出中に押しボタンが操作されたといった条件等が考えられる）を所定の条件としてもよい。
【００３８】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、回転体、装飾部、装飾体、ボス、腕部、軸着部、嵌入部、直線移動体等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、全ての要素のうちの複数の要素を適宜一体的に構成するか、もしくはひとつの要素を複数の要素に分けて構成するかは、敢えて特許請求の範囲等において特定していない限り、何れも当業者であれば容易に考えられる事項である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３９】
１・・パチンコ機（遊技機）、３０・・電動役物（可動遊技手段）、３１・・第１装飾可動体、３２・・第２装飾可動体（直線移動体）、３２ａ・・装飾部（第２の装飾部）、３２ｂ・・第１腕部（直線移動部）、３２ｃ・・第２腕部、３３・・モータ、３６・・第１可動部材（装飾体）、３６ａ・・装飾部（装飾部）、３６ｂ・・腕部、３７・・第２可動部材、３７ａ・・装飾部、３７ｂ・・腕部、３８・・軸孔（軸着部）、３９・・伝達溝（嵌入部）、４４・・被ガイド部（直線移動体、変換機構）、４５・・連結ボス（直線移動体、変換機構）、５７・・ボス付きピニオン（回転体）、５８・・回動アーム、５８ａ・・被押圧面、５９・・ガイドバー（変換機構）、６０・・スライド用ボス、６１・・回転用ボス（ボス）、６２・・伝達孔（変換機構）、６６・・回動軸部、７０・・アーム軸部。
【図１】
0006380749.tif 000002
【図２】
0006380749.tif 000003
【図３】
0006380749.tif 000004
【図４】
0006380749.tif 000005
【図５】
0006380749.tif 000006
【図６】
0006380749.tif 000007
【図７】
0006380749.tif 000008
【図８】
0006380749.tif 000009
【図９】
0006380749.tif 000010
【図１０】
0006380749.tif 000011
【図１１】
0006380749.tif 000012
【図１２】
0006380749.tif 000013
【図１３】
0006380749.tif 000014
【図１４】
0006380749.tif 000015
【図１５】
0006380749.tif 000016
【図１６】
0006380749.tif 000017
【図１７】
0006380749.tif 000018
【図１８】
0006380749.tif 000019
【図１９】
0006380749.tif 000020
【図２０】
0006380749.tif 000021
【図２１】
0006380749.tif 000022
【図２２】
0006380749.tif 000023
【図２３】
0006380749.tif 000024
【図２４】
0006380749.tif 000025